(57)【要約】      （修正有）【課題】処方された薬剤が授与されないおそれを低減可能にした薬剤管理装置、および、薬剤管理システムを提供する。【解決手段】薬剤管理装置３０は、薬剤を収納する複数の収納部５１と、制御部４１とを備え、制御部は、入力装置１０が入力した処方箋のなかの薬剤の名称に基づいて、当該名称の薬剤を収納している収納部を、薬剤が取出不能な状態から薬剤が取出可能な状態へ変更する変更部と、取出可能な状態に変更された収納部での薬剤の取出動作が検知された場合に、処方された薬剤の取り出しが完了したと判断する判断部と、を備える。【選択図】図１
2020202912.tif 000002
【特許請求の範囲】
【請求項１】
薬剤を収納する複数の収納部と、
入力装置が入力した処方箋のなかの薬剤の名称に基づいて、当該名称の薬剤を収納している前記収納部を、前記薬剤が取出不能な状態から前記薬剤が取出可能な状態へ変更する変更部と、
前記取出可能な状態に変更された前記収納部での前記薬剤の取出動作が検知された場合に、処方された薬剤の取り出しが完了したと判断する判断部と、を備える
薬剤管理装置。
【請求項２】
前記判断部は、取出可能な状態に変更された前記収納部での取出動作が検知されない場合に、前記処方された薬剤の取り出しが完了していないと判断し、
前記処方された薬剤の取り出しが完了していないと前記判断部が判断した場合に、前記処方された薬剤の取り出しが完了していないことを報知する報知部をさらに備える
請求項１に記載の薬剤管理装置。
【請求項３】
薬剤の販売に要する処理のなかで、前記処方された薬剤の取り出しが完了したと判断した後の処理が対象処理であり、
前記判断部は、前記処方された薬剤の取り出しが完了したと判断するまで前記対象処理を禁止し、前記処方された薬剤の取り出しが完了したと判断したときに前記対象処理を許諾する
請求項１または２に記載の薬剤管理装置。
【請求項４】
前記対象処理は、処方された薬剤の販売に要する会計処理である
請求項３に記載の薬剤管理装置。
【請求項５】
前記対象処理は、処方された薬剤の使用に必要な情報の出力処理である
請求項３に記載の薬剤管理装置。
【請求項６】
前記取出動作の検知は、前記入力装置が入力した薬剤の用量と、当該薬剤の取り出された量とが一致することの検知を含む
請求項１から５のいずれか一項に記載の薬剤管理装置。
【請求項７】
前回処方された薬剤の名称と当該薬剤の用量とが処方履歴であり、
前記取出動作の検知は、今回処方された薬剤の用量から前記処方履歴に基づく残薬量を減算した量と、取り出された量とが一致することの検知を含む
請求項６に記載の薬剤管理装置。
【請求項８】
薬剤を収納する複数の収納部と、
処方箋のなかの薬剤の名称を入力する入力装置と、
前記入力装置が入力した名称に基づいて、当該名称の薬剤を収納している前記収納部を、前記薬剤が取出不能な状態から前記薬剤が取出可能な状態へ変更する変更部と、
前記取出可能な状態に変更された前記収納部での薬剤の取出動作を検知する検知部と、
前記検知部が前記取出動作を検知した場合に、処方された薬剤の取り出しが完了したと判断する判断部と、を備える
薬剤管理システム。
【発明の詳細な説明】
【技術分野】
【０００１】
本発明は、収納部に収納された薬剤を管理する薬剤管理装置、および、薬剤管理システムに関する。
【背景技術】
【０００２】
薬剤管理装置が設置された調剤薬局では、医師が交付した処方箋に基づいて薬剤の授与が行われている。薬剤管理装置のなかには、処方された薬剤とは異なる薬剤が授与されることを抑えるために、処方箋に記載された薬剤の名称と用量とを読み取り、読み取られた名称の薬剤が収納されている棚の扉を開けて、読み取られた用量を表示するものが知られている（例えば、特許文献１参照）。
【先行技術文献】
【特許文献】
【０００３】
【特許文献１】特開２００４−１８７９５８号公報
【発明の概要】
【発明が解決しようとする課題】
【０００４】
しかしながら、上述の薬剤管理装置では、処方された薬剤とは異なる薬剤の授与を抑制できるものの、開いた扉を見落として、処方された薬剤の一部が授与されないおそれが依然として存在する。
本発明の目的は、処方された薬剤が授与されないおそれを低減可能にした薬剤管理装置、および、薬剤管理システムを提供することである。
【課題を解決するための手段】
【０００５】
上記課題を解決するための薬剤管理装置は、薬剤を収納する複数の収納部と、入力装置が入力した処方箋のなかの薬剤の名称に基づいて、当該名称の薬剤を収納している前記収納部を、前記薬剤が取出不能な状態から前記薬剤が取出可能な状態へ変更する変更部と、前記取出可能な状態に変更された前記収納部での前記薬剤の取出動作が検知された場合に、処方された薬剤の取り出しが完了したと判断する判断部と、を備える。
【０００６】
上記課題を解決するための薬剤管理システムは、薬剤を収納する複数の収納部と、処方箋のなかの薬剤の名称を入力する入力装置と、前記入力装置が入力した名称に基づいて、当該名称の薬剤を収納している前記収納部を、前記薬剤が取出不能な状態から前記薬剤が取出可能な状態へ変更する変更部と、前記取出可能な状態に変更された前記収納部での薬剤の取出動作を検知する検知部と、前記検知部が前記取出動作を検知した場合に、処方された薬剤の取り出しが完了したと判断する判断部と、を備える。
【０００７】
上記各構成によれば、処方箋に記録された薬剤を収納する収納部のみが、薬剤の取出不能な状態から、薬剤の取出可能な状態に変更される。そして、取出可能な状態に変更された収納部での前記薬剤の取出動作が検知された場合に、処方された薬剤の取り出しが完了したと判断される。結果として、処方された薬剤の取り出しが完了したことを薬剤管理装置が判断できるため、処方された薬剤の取り出しが完了したことを利用者のみが判断する場合と比べて、処方された薬剤が授与されないおそれを低減できる。
【０００８】
上記薬剤管理装置において、前記判断部は、取出可能な状態に変更された前記収納部での取出動作が検知されない場合に、前記処方された薬剤の取り出しが完了していないと判断し、前記処方された薬剤の取り出しが完了していないと前記判断部が判断した場合に、前記処方された薬剤の取り出しが完了していないことを報知する報知部をさらに備えてもよい。
【０００９】
上記構成によれば、処方された薬剤が取り出されていないことを利用者に気付かせることも可能となる。結果として、処方された薬剤が授与されないおそれを、さらに低減できる。
【００１０】
上記薬剤管理装置において、薬剤の販売に要する処理のなかで、前記処方された薬剤の取り出しが完了したと判断した後の処理が対象処理であり、前記判断部は、前記処方された薬剤の取り出しが完了したと判断するまで前記対象処理を禁止し、前記処方された薬剤の取り出しが完了したと判断したときに前記対象処理を許諾してもよい。
【００１１】
上記薬剤管理装置によれば、処方された薬剤の取り出しが完了していないにもかかわらず薬剤の販売に要する後の処理が行われることを抑制できる。そのため、処方された薬剤が授与されないおそれを一層低減できる。
【００１２】
上記薬剤管理装置において、前記対象処理は、処方された薬剤の販売に要する会計処理であってもよい。この構成によれば、処方された薬剤の取り出しが完了したと判断されるまで会計処理が禁止されるため、販売を目的として処方された薬剤が授与されないおそれを一層低減できる。
【００１３】
上記薬剤管理装置において、前記対象処理は、処方された薬剤の使用に必要な情報の出力処理であってもよい。薬剤の販売に際しては、薬剤の使用に必要な情報を提供することが薬剤師に求められる。この構成によれば、処方された薬剤の取り出しが完了したと判断されるまで情報の出力処理が禁止される。そのため、販売を目的として処方された薬剤が授与されないおそれを一層低減できる。
【００１４】
上記薬剤管理装置において、前記取出動作の検知に、前記入力装置が入力した薬剤の用量と、当該薬剤の取り出された量とが一致することの検知を含めてもよい。この構成によれば、処方された薬剤の用量と授与される薬剤の用量との間に過不足が生じることを抑制できる。
【００１５】
上記薬剤管理装置において、前回処方された薬剤の名称と当該薬剤の用量とが処方履歴であり、前記取出動作の検知は、今回処方された薬剤の用量から前記処方履歴に基づく残薬量を減算した量と、取り出された量とが一致することの検知を含めてもよい。この構成によれば、減数調剤を要する薬剤の授与において、処方された薬剤が授与されないおそれを低減できる。
【図面の簡単な説明】
【００１６】
【図１】薬剤管理システムの一実施形態におけるシステム構成を示すブロック図。
【図２】一実施形態における処方データの構成を示すデータ構成図。
【図３】一実施形態における履歴データの構成を示すデータ構成図。
【図４】一実施形態における収納データの構成を示すデータ構成図。
【図５】一実施形態における薬剤販売処理の流れを示すシーケンス図。
【図６】変更例における薬剤管理システムの構成を示すブロック図。
【発明を実施するための形態】
【００１７】
図１〜図５を参照して、薬剤管理装置、および、薬剤管理システムの一実施形態を説明する。まず、薬剤管理システムの構成を説明し、次いで、薬剤管理システムの作用として薬剤を販売する処理の流れを説明する。
【００１８】
図１が示すように、薬剤管理システムは、入力装置１０、および、薬剤管理装置３０を備える。入力装置１０、および、薬剤管理装置３０は、例えば、単一の調剤薬局に設置されている。薬剤管理装置３０は、制御装置４０と、収納装置５０とを備える。収納装置５０は、例えば、複数の収納部５１を備えた引き出し棚である。収納部５１は、開閉状態を検知可能に構成された錠機構を備える引き出しである。
【００１９】
入力装置１０は、制御部１１、読取部１２、記憶部１３、および、通信部１４を備える。
制御部１１は、中央演算処理装置とメモリとを備える。制御部１１は、全ての処理をソフトウェアで実行するものに限らない。制御部１１は、全ての処理の中の一部を実行するＡＳＩＣ等の専用ハードウェアを備えてもよい。つまり、制御部１１は、ＡＳＩＣ等の１つ以上の専用ハードウェア、１つ以上のプロセッサ、あるいは、専用ハードウェアとプロセッサとの組み合わせを含む回路として構成し得る。
【００２０】
制御部１１は、記憶部１３が記憶するプログラムを読み出して、読取部１２、記憶部１３、および、通信部１４に、各種の処理を実行させる。例えば、制御部１１は、処方箋Ｐ１や薬手帳Ｐ２の読み取りを読取部１２に実行させる。制御部１１は、読取部１２が生成した各種のデータを記憶部１３に記憶させる。制御部１１は、読取部１２が生成した各種のデータを通信部１４に送信させる。
【００２１】
読取部１２は、例えば、光学文字認識機能を備えたスキャナーである。読取部１２は、処方箋Ｐ１や薬手帳Ｐ２を読取対象として、制御部１１の指示に従って、文字認識を使用した読取を実行する。
【００２２】
読取部１２は、処方箋Ｐ１に記載された文字等を読み取り、その読取結果を用いて処方データ１３Ｄ１を生成する。読取部１２は、薬手帳Ｐ２に記載された文字等を読み取り、その読取結果を用いて履歴データ１３Ｄ２を生成する。制御部１１は、読取部１２による読取結果に対して通番を付与する。通番は、処方データ１３Ｄ１と履歴データ１３Ｄ２とに共通する。
【００２３】
記憶部１３は、各種の処理を実行するためのデータを記憶する。例えば、記憶部１３は、読取に用いられる処方箋Ｐ１のフォーマットを記憶する。記憶部１３は、読取に用いられる薬手帳Ｐ２のフォーマットを記憶する。
【００２４】
制御部１１は、記憶部１３が記憶する各種のデータの読み出しと、記憶部１３への各種のデータの書き込みとを実行する。例えば、制御部１１は、各種のフォーマットを読み出して、当該フォーマットを用いた読み取りを読取部１２に実行させる。制御部１１は、読取部１２が生成した処方データ１３Ｄ１と履歴データ１３Ｄ２とに、当該処方データ１３Ｄ１と履歴データ１３Ｄ２とに付与された通番とを対応付けて、これらを記憶部１３に書き込む。
【００２５】
通信部１４は、制御部１１の指示に従って、処方データ１３Ｄ１、履歴データ１３Ｄ２、および、これらに付与された共通する通番を、薬剤管理装置３０に送信する。
【００２６】
処方箋Ｐ１に記載される項目は、例えば、医療機関コード、公費負担番号、保険者番号、患者氏名、患者の生年月日、患者区分、医療機関名称、保険医氏名、保険医署名、交付日、処方箋使用期間、医薬剤名や使用量等の処方内容、残薬確認時の対応、備考等である。処方内容は、例えば、患者が服用する薬剤の名称、各薬剤の１日当たりの分量、１日における服用のタイミングなどの投与頻度、用量等である。処方箋Ｐ１には、各種の情報が平文、または、機械で読み取り可能なコードとして記録されている。
【００２７】
薬手帳Ｐ２に記載される項目は、例えば、所有者の氏名、住所、所有者の生年月日、副作用の原因薬剤、食物アレルギー、常備薬、前回処方された薬剤の名称、分量、授与日、用量、用法等である。薬手帳Ｐ２には、各種の情報が平文で記録されている。
【００２８】
図２が示すように、処方データ１３Ｄ１は、患者を識別するための患者識別情報を備える。患者識別情報は、読取部１２が処方箋Ｐ１から読み取った、保険者番号、患者氏名、患者の生年月日、患者区分などである。処方データ１３Ｄ１は、読取部１２が読み取った処方箋Ｐ１の交付日を備える。処方データ１３Ｄ１は、読取部１２が読み取った薬剤の名称に、当該薬剤の分量、投与頻度、および、用量を対応付ける。薬剤の分量は、当該薬剤が１日に投与される数量である。投与頻度は、１日に薬剤を投与する回数などの頻度である。薬剤の用量は、前回の授与日に患者に処方された薬剤の数量である。
【００２９】
図３が示すように、履歴データ１３Ｄ２は、患者を識別するための患者識別情報を備える。患者識別情報は、読取部１２が薬手帳Ｐ２から読み取った、所有者氏名、所有者の生年月日などである。履歴データ１３Ｄ２は、読取部１２が読み取った薬手帳Ｐ２での授与日を備える。履歴データ１３Ｄ２は、読取部１２が読み取った薬剤の名称に、当該薬剤の分量、投与頻度、および、用量を対応付ける。薬剤の授与日は、薬剤を授与した前回の日付である。
【００３０】
図１に戻り、制御装置４０は、制御部４１、記憶部４２、通信部４３、駆動部４４、及び、監視部４５を備える。
制御部４１は、中央演算処理装置とメモリとを備える。制御部４１は、全ての処理をソフトウェアで実行するものに限らない。制御部４１は、全ての処理の中の一部を実行するＡＳＩＣ等の専用ハードウェアを備えてもよい。つまり、制御部１１は、ＡＳＩＣ等の１つ以上の専用ハードウェア、１つ以上のプロセッサ、あるいは、専用ハードウェアとプロセッサとの組み合わせを含む回路として構成し得る。
【００３１】
制御部４１は、記憶部４２が記憶するプログラムを読み出して、通信部４３、駆動部４４、および、監視部４５に、各種の処理を実行させる。例えば、制御部４１は、入力装置１０が送信した各種のデータを、通信部４３に受信させる。制御部４１は、通信部４３が受信した各種のデータを用い、駆動部４４に各機器を駆動させる。
【００３２】
制御部４１は、監視部４５に、収納装置５０の状態を監視させる。制御部１１は、監視部４５による監視の結果に基づいて、各種の判断を実行する。例えば、制御部４１は、処方された薬剤の全てが収納装置５０から取り出されたか否かを判断する。制御部４１は、判断部の一例である。
【００３３】
制御部４１は、処方データ１３Ｄ１と履歴データ１３Ｄ２とを用いて、薬剤ごとの残薬量を算出する。制御部４１は、処方データ１３Ｄ１と、当該処方データ１３Ｄ１に含まれる薬剤の残薬量とを、当該処方データ１３Ｄ１の通番に対応付けて、これらを記憶部４２に記憶させる。
【００３４】
例えば、制御部４１は、処方データ１３Ｄ１から薬剤の名称を抽出し、当該名称が履歴データ１３Ｄ２に含まれるか否かを判断する。制御部４１は、処方データ１３Ｄ１に含まれる薬剤の名称が履歴データ１３Ｄ２に含まれない場合、当該薬剤の残薬量が「０」であると判断する。
【００３５】
一方、制御部４１は、処方データ１３Ｄ１に含まれる薬剤の名称が履歴データ１３Ｄ２に含まれる場合、履歴データ１３Ｄ２の授与日から今回の授与日までの経過日数を算出する。また、制御部４１は、履歴データ１３Ｄ２に含まれる薬剤の分量と、投与頻度と、経過日数との乗算から、総投与数を算出する。そして、制御部４１は、履歴データ１３Ｄ２に含まれる薬剤の用量から総投与数を減算して、当該減算値を薬剤の残薬量とする。
【００３６】
記憶部４２は、処方データ１３Ｄ１、履歴データ１３Ｄ２、これらに付与された共通の通番、これらに基づく残薬量、および、収納データ４２Ｄを記憶する。収納データ４２Ｄは、制御部４１による収納部５１の特定に用いられる。
【００３７】
図４が示すように、収納データ４２Ｄは、収納部５１を識別するための棚番号を備える。棚番号は、例えば、収納部５１の並びの順に付与された通番である。収納データ４２Ｄは、薬剤の名称と、薬剤の収納量とを備える。収納データ４２Ｄは、収納部５１の棚番号に、当該収納部５１に収納される薬剤の名称、および、当該薬剤の収納量とを対応付ける。
【００３８】
図１に戻り、収納装置５０は、複数の収納部５１、入力部５２、出力部５３、および、報知部５４を備える。
各収納部５１は、当該収納部５１に固有の薬剤を収納する。収納部５１は、施錠状態と解錠状態とに、変更可能に構成される。施錠状態の収納部５１は、当該収納部５１に収納された薬剤を取出不能とする。解錠状態の収納部５１は、当該収納部５１に収納された薬剤を取出可能とする。
【００３９】
収納部５１は、状態表示部５１Ｓを備える。収納部５１は、駆動部４４が入力する解錠信号を受けて、施錠状態から解錠状態に切り替わる。状態表示部５１Ｓは、駆動部４４が入力する解錠信号を受けて、当該収納部５１が解錠状態であることを表示する。収納部５１は、利用者による閉動を受けて、解錠状態から施錠状態に切り替わる。状態表示部５１Ｓは、利用者による閉動を受けて、当該収納部５１が施錠状態であることを表示する。
【００４０】
入力部５２は、例えば、キーボードやタッチパネルである。入力部５２は、利用者による操作を受けて、例えば、処方データ１３Ｄ１に対応付けられた通番や、収納部５１から取り出された薬剤の数量を入力する。
【００４１】
出力部５３は、ディスプレイやプリンターである。出力部５３は、処方データ１３Ｄ１に含まれる薬剤の名称、当該薬剤の用量、当該薬剤の残薬量、当該処方データ１３Ｄ１に対応付けられた通番等を表示する。
【００４２】
報知部５４は、表示灯やスピーカーである。報知部５４は、例えば、処方された薬剤の全てが収納装置５０から取り出されたと判断されたときに、その旨を報知する。また、報知部５４は、例えば、処方された薬剤が収納装置５０から取り出されていないと判断されたときに、その旨を報知する。
【００４３】
入力部５２は、利用者による通番の入力を受け付ける。入力部５２は、利用者が入力した通番を、監視部４５に出力する。監視部４５は、入力部５２から入力された通番を、制御部４１に入力する。制御部４１は、監視部４５から入力された通番を参照し、当該通番に対応付けられた処方データ１３Ｄ１と残薬量とを、記憶部４２から読み出す。制御部４１は、読み出した処方データ１３Ｄ１と残薬量とを、駆動部４４の駆動を通じて、出力部５３に出力させる。
【００４４】
制御部４１は、記憶部４２から収納データ４２Ｄを読み出して、解錠状態に変更する収納部５１を特定する。すなわち、制御部４１は、通番に基づいて読み出された処方データ１３Ｄ１を用い、当該処方データ１３Ｄ１に含まれる薬剤の名称に対応付けられる棚番号を、収納データ４２Ｄを参照して特定する。そして、制御部４１は、特定された棚番号の収納部５１を解錠状態に変更するための解錠信号を、駆動部４４に出力させる。
【００４５】
収納部５１は、解錠状態から施錠状態に切り替わったことを示す信号、すなわち、利用者が閉動を行ったことを示す検知信号を、当該収納部５１の棚番号に対応付けて、監視部４５に出力する。監視部４５は、検知信号の有無に基づいて、利用者による閉動の有無を、各収納部５１に対して常時監視する。利用者による閉動は、取出動作の一例である。
【００４６】
監視部４５は、収納部５１から入力された検知信号を、制御部４１に入力する。制御部４１は、解錠対象として特定された棚番号と、検知信号に対応付けられた棚番号とが一致する場合に、処方された薬剤の全てが取り出されたと判断する。一方、制御部４１は、解錠対象として特定された棚番号と、検知信号に対応付けられた棚番号とが一致しない場合に、処方された薬剤が取り出されていないと判断する。
【００４７】
以下、図５を参照して、薬剤管理システムにおける薬剤販売処理の流れを説明する。
図５が示すように、調剤薬局の利用者１は、例えば、処方箋Ｐ１と薬手帳Ｐ２とを、患者等から受け取る。利用者１は、処方箋Ｐ１と薬手帳Ｐ２とを、入力装置１０に読み取らせる（ステップＳ１１）。
【００４８】
入力装置１０は、読取部１２での読取結果に基づいて、処方データ１３Ｄ１と履歴データ１３Ｄ２とを生成し、生成された処方データ１３Ｄ１と履歴データ１３Ｄ２とを、これらに共通する通番に対応付けて、制御装置４０に送信する。入力装置１０は、処方データ１３Ｄ１と履歴データ１３Ｄ２とに対応付けられた通番を、入力装置１０が備える表示部等に表示して、利用者１に通番を通知する。
【００４９】
制御装置４０は、受信された処方データ１３Ｄ１と履歴データ１３Ｄ２とを用いて、薬剤ごとの残薬量を算出する（ステップＳ１２）。また、制御装置４０は、処方データ１３Ｄ１の通番に、当該処方データ１３Ｄ１と、当該処方データ１３Ｄ１に含まれる薬剤の残薬量とを対応付けて、これらを記憶部４２に記憶し、これによって、通番に対応付けられた情報を登録する（ステップＳ１２）。
【００５０】
利用者１は、収納装置５０の入力部５２に、入力装置１０に通知された通番を入力する。収納装置５０は、利用者１が入力した通番を制御装置４０に入力する。制御装置４０は、利用者１が入力した通番を参照し、当該通番に対応付けられた処方データ１３Ｄ１を用い、当該処方データ１３Ｄ１に含まれる薬剤の名称に対応付けられる棚番号を特定する（ステップＳ１４）。
【００５１】
制御装置４０は、特定された棚番号の収納部５１を解錠状態に変更するための解錠信号を、収納装置５０に入力する。また、制御装置４０は、利用者１が入力した通番を参照し、当該通番に対応付けられた処方データ１３Ｄ１を用い、表示情報を収納装置５０に入力する。表示情報は、通番に対応付けられた処方データ１３Ｄ１に含まれる薬品の名称、当該薬剤の用量、および、当該薬品の残薬量などである。
【００５２】
収納装置５０は、制御装置４０が入力した解錠信号を受けて、特定された棚番号の収納部５１を解錠状態に変更する（ステップＳ１５）。また、収納装置５０は、制御装置４０が入力した表示情報を受けて、処方された薬剤の名称、当該薬剤の用量、および、当該薬剤の残薬量を表示する（ステップＳ１６）。
【００５３】
利用者１は、収納装置５０が表示する薬剤の名称、当該薬剤の用量、および、当該薬剤の残薬量に基づいて、解錠状態の収納部５１を開動して、解錠状態の収納部５１から薬剤を取り出す。そして、利用者１は、薬剤の取り出しを終えた収納部５１を閉動する。この際、収納装置５０は、解錠状態から施錠状態に切り替わったことを示す検知信号を、当該収納部５１の棚番号に対応付けて、制御装置４０に入力する。
【００５４】
制御装置４０は、解錠対象として特定された棚番号と、検知信号に対応付けられた棚番号とを比較し、これらが一致するか否かを判断する（ステップＳ１７）。そして、制御装置４０は、棚番号が一致するか否かの判断結果を収納装置５０に入力する。
【００５５】
この際、制御装置４０は、解錠対象として特定された全ての棚番号と、検知信号に対応付けられた全ての棚番号とが一致する場合に、判断結果として、処方された薬剤の全てについて取り出しが完了したことを報知するための信号を入力する。
【００５６】
一方、制御装置４０は、解錠対象として特定された棚番号のなかで、検知信号に対応付けられた棚番号と一致しないものが存在する場合に、判断結果として、処方された薬剤の取り出しが完了していないことを報知するための信号を入力する。
収納装置５０は、制御装置４０から入力される判断結果に基づいて、処方された薬剤の全ての取り出しが完了したか、あるいは、未完了であるかを報知する。
【００５７】
以上、上記実施形態によれば、以下の効果が得られる。
（１）処方箋Ｐ１から読み取られた薬剤を収納する収納部５１のみが、薬剤の取出不能な状態から、薬剤の取出可能な状態に変更される。そして、取出可能な状態に変更された収納部５１での閉動が検知された場合に、処方された薬剤の取り出しが完了したと判断される。結果として、処方された薬剤の取り出しが完了したことを薬剤管理装置３０が判断できるため、処方された薬剤の取り出しが完了したことを利用者１のみが判断する場合と比べて、処方された薬剤が授与されないおそれを低減できる。
【００５８】
（２）制御装置４０は、取出可能な状態に変更された収納部５１での閉動が検知されない場合に、処方された薬剤の取り出しが完了していないと判断する。そして、処方された薬剤の取り出しが完了していないと判断された場合に、処方された薬剤の取り出しが完了していないことを報知する。そのため、処方された薬剤が取り出されていないことを利用者１に気付かせることも可能となる。
【００５９】
（３）履歴データ１３Ｄ２に基づく残薬量、および、今回処方された薬剤の用量が、収納装置５０で表示されるため、減数調剤に際して利用者１の利便性を高めることも可能となる。
【００６０】
なお、上記実施形態は、以下のように変更して実施することもできる。
・制御部４１は、処方された薬剤の取り出しが完了したと判断するまで、対象処理を禁止し、処方された薬剤の取り出しが完了したと判断したときに、対象処理を許諾してもよい。対象処理は、薬剤の販売に要する処理のなかで、処方された薬剤の取り出しが完了したと判断した後の処理であり、例えば、販売する薬剤の会計処理や、薬剤の使用に必要な情報を出力する出力処理である。
【００６１】
・例えば、図６が示すように、制御装置４０は、会計装置６１に接続されている。制御装置４０は、処方された薬剤の名称、および、当該薬剤の販売量を、会計装置６１に入力する。会計装置６１は、入力された薬剤の名称、および、当該薬剤の販売量に基づいて、販売に要する会計処理を実行する。
【００６２】
なお、減数調剤が行われていない場合、会計処理に用いられる薬剤の販売量は、処方データ１３Ｄ１に含まれる薬剤の用量である。他方、減数調剤が行われた場合、会計処理に用いられる薬剤の販売量は、処方された薬剤の用量であって、収納装置５０の入力部５２を通じて、別途、利用者１から入力される減数調剤後の用量である。
【００６３】
この際、制御装置４０は、処方された薬剤の取り出しが完了したと判断されるまで、会計処理を禁止するための信号を、会計装置６１に入力する。そして、制御装置４０は、処方された薬剤の取り出しが完了したと判断したときに、会計処理を許諾するための信号を、会計装置６１に入力する。
【００６４】
上記変更例によれば、処方された薬剤の取り出しが完了したと判断されるまで会計処理が禁止されるため、販売を目的として処方された薬剤が患者等に授与されないおそれを、一層低減できる。
【００６５】
・例えば、図６が示すように、制御装置４０は、出力装置６２に接続されている。制御装置４０は、処方された薬剤の名称、および、当該薬剤の使用に必要な情報を、出力装置６２に入力する。出力装置６２は、入力された薬剤の名称、および、当該薬剤の使用に必要な情報に基づいて、販売に要する情報の出力処理を実行する。
【００６６】
この際、制御装置４０は、処方された薬剤の取り出しが完了したと判断されるまで、出力処理を禁止するための信号を、出力装置６２に入力する。そして、制御装置４０は、処方された薬剤の取り出しが完了したと判断したときに、出力処理を許諾するための信号を、出力装置６２に入力する。
【００６７】
薬剤の販売に際しては、薬剤の使用に必要な情報を提供することが薬剤師に求められる。上記変更例によれば、処方された薬剤の取り出しが完了したと判断されるまで情報の出力処理が禁止される。そのため、販売を目的として処方された薬剤が患者等に授与されないおそれを、一層低減できる。
【００６８】
・制御装置４０は、取出動作の検知として、収納部５１に備えられた重量センサーの測定値を用いてもよい。
例えば、収納部５１は、重量センサーの測定値が減少したことを示す検知信号を、当該収納部５１の棚番号に対応付けて、監視部４５に出力してもよい。そして、監視部４５は、検知信号の有無に基づいて、収納部５１での重量減少の有無を、各収納部５１に対して常時監視する。制御部４１は、解錠対象として特定された棚番号と、検知信号に対応付けられた棚番号とが一致する場合に、処方された薬剤の全てが取り出されたと判断してもよい。また、制御部４１は、解錠対象として特定された棚番号と、検知信号に対応付けられた棚番号とが一致しない場合に、処方された薬剤が取り出されていないと判断してもよい。
【００６９】
・制御装置４０は、取出動作の検知として、動体センサーや人感センサーの測定値を用いてもよい。
例えば、動体センサーや人感センサーは、収納部５１の中に利用者１の手が差し込まれたことを検知する。収納部５１は、動体センサーや人感センサーの出力する検知信号を、当該収納部５１の棚番号に対応付けて、監視部４５に出力してもよい。そして、監視部４５は、検知信号の有無に基づいて、収納部５１の中に手が差し込まれたか否かを、各収納部５１に対して常時監視する。制御部４１は、解錠対象として特定された棚番号と、検知信号に対応付けられた棚番号とが一致する場合に、処方された薬剤の全てが取り出されたと判断してもよい。また、制御部４１は、解錠対象として特定された棚番号と、検知信号に対応付けられた棚番号とが一致しない場合に、処方された薬剤が取り出されていないと判断してもよい。
【００７０】
・図６が示すように、制御装置４０は、計測装置６３に接続されてもよい。計測装置６３は、取り出された薬剤の数量や重量を計測し、計測結果を制御装置４０に入力する。制御装置４０は、処方された薬剤の用量と、取り出された薬剤の計測結果とを比較する。
【００７１】
この際、制御装置４０は、処方された薬剤の用量と、取り出された薬剤の計測結果とが一致することを、処方された薬剤の取り出しが完了したと判断する条件に含める。
【００７２】
なお、減数調剤が行われていない場合、上記判断に用いられる処方された用量は、処方データ１３Ｄ１に含まれる薬剤の用量である。他方、減数調剤が行われた場合、上記判断に用いられる処方された用量は、収納装置５０の入力部５２を通じて、別途、利用者１から入力される減数調剤後の用量である。
【００７３】
また、制御装置４０は、解錠対象として特定された棚番号と、検知信号に対応付けられた棚番号とが一致することを、処方された薬剤の取り出しが完了したと判断する条件に含めてもよいし、含めなくともよい。
【００７４】
この変更例によれば、処方された薬剤の取り出しが完了したと判断される条件に、取り出された薬剤の量が含まれるため、薬剤が患者等に授与されないおそれを、一層低減できる。そのうえ、処方された薬剤の用量と授与される薬剤の用量との間に過不足が生じることを抑制できる。
【００７５】
・収納部５１は、予め薬剤を収納した状態で取り引きされてもよい。この際、収納部５１は、引き出し棚に外部から取付可能に構成されて、ＩＣタグなどの記憶媒体を備えてもよい。収納部５１が備える記憶媒体は、例えば、当該収納部５１が収納する薬剤の名称、および、当該収納部５１が収納する薬剤の数量を記憶する。また、収納装置５０は、収納部５１が備える読取媒体からデータを読み出し可能に構成される。そして、収納装置５０は、記憶媒体から読み出したデータを制御装置４０に入力し、制御装置４０は、収納装置５０が入力するデータを用いて収納データ４２Ｄを更新してもよい。
上記変更例によれば、薬剤を補充する際の収納データ４２Ｄの更新に要する手間を軽減することが可能となる。
【００７６】
・監視部４５は、収納データ４２Ｄを常時監視してもよい。この際、制御部４１は、薬剤の収納量が所定以下となった場合に、監視部４５による監視の結果に基づいて、薬剤の収納量が少ない旨を報知部５４に報知させてもよい。
【００７７】
・薬剤管理装置３０は、薬剤を取り出す利用者１が薬剤管理装置３０の設置された調剤薬局に所属する薬剤師であることを認証する認証部をさらに備えてもよい。認証部は薬剤師の認証を行うための照合データを備える。薬剤師は、薬剤の取り出しを開始するとき、認証データを薬剤管理装置３０に入力する。薬剤管理装置３０は、認証データと照合データとが合致するまで、駆動部４４による収納部５１の駆動を禁止する。薬剤管理装置３０は、認証データと照合データとが合致したとき、駆動部４４による収納部５１の駆動を可能とする。
【００７８】
・報知部５４は、メッセージの表示、警告音、手続の禁止以外の方法によって、薬剤の取り出しが完了していないことを利用者１に報知してもよい。例えば、報知部５４は、利用者１が携帯する業務用端末の振動などを通じて、薬剤の取り出しが完了していないことを報知してもよい。
【００７９】
・入力装置１０は、例えば、レセプトコンピュータであって、処方箋を作成するためのデータから処方データ１３Ｄ１を生成し、処方線の読取を行わずに、処方データ１３Ｄ１を制御装置４０に送信可能に構成されてもよい。また、入力装置１０は、処方箋や薬手帳を作成するためのデータから履歴データ１３Ｄ２を生成し、薬手帳の読取を行わずに、履歴データ１３Ｄ２を制御装置４０に送信可能に構成されてもよい。
・薬剤管理システムは、調剤薬局に限らず、入院患者に薬剤を投与する医療機関においても適用可能である。
【符号の説明】
【００８０】
Ｐ１…処方箋、Ｐ２…薬手帳、１０…入力装置、１１…制御部、１２…読取部、１３…記憶部、１３Ｄ１…処方データ、１３Ｄ２…履歴データ、１４…通信部、３０…薬剤管理装置、４０…制御装置、４１…制御部、４２…記憶部、４２Ｄ…収納データ、４３…通信部、４４…駆動部、４５…監視部、５０…収納装置、５１…収納部、５１Ｓ…状態表示部、５２…入力部、５３…出力部、５４…報知部、６１…会計装置、６２…出力装置、６３…計測装置。
【図１】
2020202912.tif 000003
【図２】
2020202912.tif 000004
【図３】
2020202912.tif 000005
【図４】
2020202912.tif 000006
【図５】
2020202912.tif 000007
【図６】
2020202912.tif 000008